(57)【特許請求の範囲】
【請求項１】
鍔付きの複数本の竹刀をそれぞれ剣部よりも柄部を上方に位置させて立てた状態で第１の方向に沿って整列させて収容可能に構成された竹刀スタンドであって、
前記各竹刀における剣先が当接可能に配設されて当該各竹刀の下方への移動を制限する第１の移動制限部と、
前記各竹刀における前記剣部の前記第１の方向に沿った移動を許容しつつ当該第１の方向に対して交差する第２の方向への当該剣部の移動を制限する第２の移動制限部と、
前記各竹刀における鍔が当接可能に配設されて当該各竹刀の上方への移動を制限すると共に、当該各竹刀における前記柄部の前記第１の方向に沿った移動を許容しつつ前記第２の方向への当該柄部の移動を制限する第３の移動制限部と、
前記第１の移動制限部、前記第２の移動制限部および前記第３の移動制限部を保持する保持部と、
前記第１の移動制限部および前記第２の移動制限部の間における前記第１の方向の一端部側および当該第１の方向の他端部側にそれぞれ配設されて当該第１の方向での当該竹刀スタンドからの前記剣先の突出を制限する一対の突出制限部と、
前記第３の移動制限部における前記第１の方向の一端部側および当該第１の方向の他端部側にそれぞれ配設されて前記第１の方向での当該第３の移動制限部からの前記柄部の離脱を制限する２つの離脱制限部とを備え、
前記両離脱制限部の少なくとも一方は、前記第３の移動制限部からの前記柄部の離脱および当該第３の移動制限部への当該柄部の進入を許容可能に当該竹刀スタンドから取り外し可能に構成され、
前記保持部は、前記第１の移動制限部と前記第３の移動制限部との当該竹刀スタンドの上下方向に沿った離間距離が、前記竹刀の前記剣先から当該竹刀の前記鍔における柄頭側の一面までの長さよりも長く、かつ、当該竹刀の当該剣先から当該竹刀の当該柄部における柄頭までの長さよりも短くなるように当該第１の移動制限部および当該第３の移動制限部を保持すると共に、前記第３の移動制限部における前記第１の方向の一端部側と前記第２の移動制限部における当該第１の方向の他端部側との間の距離が、前記各竹刀のうちの１本における前記鍔を当該第３の移動制限部における当該第１の方向の一端部側に当接させ、かつ、当該１本の竹刀における前記剣先を前記両突出制限部のうちの当該第１の方向の他端部側の一方に当接させるように配置したときに、当該第２の移動制限部による当該１本の竹刀の前記第２の方向への移動制限が維持されるとの条件を満たす長さとなり、前記第３の移動制限部における前記第１の方向の他端部側と前記第２の移動制限部における当該第１の方向の一端部側との間の距離が、前記１本の竹刀における前記鍔を当該第３の移動制限部における当該第１の方向の他端部側に当接させ、かつ、当該１本の竹刀における前記剣先を前記両突出制限部のうちの当該第１の方向の一端部側の一方に当接させるように配置したときに、当該第２の移動制限部による当該１本の竹刀の前記第２の方向への移動制限が維持されるとの条件を満たす長さとなるように当該第２の移動制限部および当該第３の移動制限部を保持する竹刀スタンド。
【請求項２】
前記各竹刀を前記第１の方向に沿った複数の列に分けて収容可能に構成されている請求項１記載の竹刀スタンド。
【請求項３】
前記両離脱制限部の一方は、当該竹刀スタンドに対して固定的に配設され、
前記第３の移動制限部は、断面円形状の棒状部材で平面視Ｕ字状に形成されたＵ字状部材を備えると共に、当該Ｕ字状部材の開放側端部が前記両離脱制限部のうちの固定的に配設された一方の側に位置するように配置されて前記複数の列を区分けする請求項２記載の竹刀スタンド。
【請求項４】
前記保持部は、前記第２の移動制限部における前記第１の方向の一端部と前記第３の移動制限部における当該第１の方向の一端部とを相互に連結する第１の連結部材、および当該第２の移動制限部における当該第１の方向の他端部と当該第３の移動制限部における当該第１の方向の他端部とを相互に連結する第２の連結部材を備えて構成されている請求項１から３のいずれかに記載の竹刀スタンド。
【発明の詳細な説明】
【技術分野】
【０００１】
本発明は、鍔付きの複数本の竹刀を立てた状態で収容可能に構成された竹刀スタンドに関するものである。
【背景技術】
【０００２】
例えば学校や道場のように、複数本の竹刀を常備している場所においては、不使用時に邪魔となることのないように各竹刀を立てた状態で収容するのが一般的となっている。具体的には、複数本の竹刀を一箇所にまとめて収容する場合には、格子状の仕切を有する枠体が上方に配設された箱（一例として、特開平８−１７３２９９号公報に開示されている傘立て）などを利用して各竹刀を立てた状態で収容している。この場合、収容対象の竹刀における柄部（柄部における剣部側）には、鍔が取り付けられている。この鍔は、柄部から取り外すこともできるが、一般的には、不使用時においても取り外されることなく、柄部に鍔が取り付けられた状態が維持される。したがって、上記公開公報に開示されている傘立てを竹刀収容用のスタンドとして利用する際には、柄頭を下にして各竹刀をスタンドに挿そうとしても、鍔が仕切に当接してしまうため、一般的には、剣先を下にして剣部をスタンドに挿した状態で各竹刀が収容される。
【先行技術文献】
【特許文献】
【０００３】
【特許文献１】特開平８−１７３２９９号公報（第２−４頁、第１−９図）
【発明の概要】
【発明が解決しようとする課題】
【０００４】
ところが、上記の傘立てを竹刀収容用のスタンドとして利用する場合には、以下のような問題が生じる。すなわち、傘立てを利用して複数の竹刀を収容する場合には、鍔が取り付けられている柄部側を仕切りに挿すことができないため、剣先を下にして剣部をスタンドに挿した状態とするのが一般的となっている。しかしながら、傘立てを利用した場合には、柄部に取り付けられた鍔が邪魔となって各竹刀の柄部を互いに近接させることができないだけでなく、傘の収容を目的に設計されている傘立てに対して、傘よりも長尺の竹刀を挿したことで、各竹刀における下方寄り（剣部の中程）が仕切りに当接して支えられることとなり、束状にまとめた各竹刀における上方側（柄部側）が拡がった状態となってしまう。このため、複数本の竹刀が挿されたスタンドが非常に不安定な状態となっており、各竹刀がスタンドと共に倒れてしまうことがあるという問題点が存在する。
【０００５】
また、傘立てを竹刀収容用のスタンドとして利用した場合には、収容されている各竹刀は、その剣部がスタンドに挿されただけの状態となっている。したがって、収容状態の各竹刀をスタンドから容易に引き抜くことができるため、スタンドに挿されている各竹刀が収容場所から容易に持ち出されるおそれがあり、各竹刀の管理が煩雑となっているという問題点も存在する。また、各竹刀をスタンド（傘立て）に収容したまま運搬しようとしたときにも、上記したように、各竹刀における上方側（柄部側）が拡がった状態となっていることに起因してスタンドに手を掛け難いと共に、運搬中にスタンドから竹刀が抜け落ちてしまうことがあるため、運搬作業が煩雑となっているという問題点もある。
【０００６】
本発明は、かかる問題点に鑑みてなされたものであり、立てて収容している各竹刀が倒れる事態、および各竹刀が収容場所から持ち出されたり抜け落ちたりする事態を回避し得る竹刀スタンドを提供することを主目的とする。
【課題を解決するための手段】
【０００７】
上記目的を達成すべく、請求項１記載の竹刀スタンドは、鍔付きの複数本の竹刀をそれぞれ剣部よりも柄部を上方に位置させて立てた状態で第１の方向に沿って整列させて収容可能に構成された竹刀スタンドであって、前記各竹刀における剣先が当接可能に配設されて当該各竹刀の下方への移動を制限する第１の移動制限部と、前記各竹刀における前記剣部の前記第１の方向に沿った移動を許容しつつ当該第１の方向に対して交差する第２の方向への当該剣部の移動を制限する第２の移動制限部と、前記各竹刀における鍔が当接可能に配設されて当該各竹刀の上方への移動を制限すると共に、当該各竹刀における前記柄部の前記第１の方向に沿った移動を許容しつつ前記第２の方向への当該柄部の移動を制限する第３の移動制限部と、前記第１の移動制限部、前記第２の移動制限部および前記第３の移動制限部を保持する保持部と、前記第１の移動制限部および前記第２の移動制限部の間における前記第１の方向の一端部側および当該第１の方向の他端部側にそれぞれ配設されて当該第１の方向での当該竹刀スタンドからの前記剣先の突出を制限する一対の突出制限部と、前記第３の移動制限部における前記第１の方向の一端部側および当該第１の方向の他端部側にそれぞれ配設されて前記第１の方向での当該第３の移動制限部からの前記柄部の離脱を制限する２つの離脱制限部とを備え、前記両離脱制限部の少なくとも一方は、前記第３の移動制限部からの前記柄部の離脱および当該第３の移動制限部への当該柄部の進入を許容可能に当該竹刀スタンドから取り外し可能に構成され、前記保持部は、前記第１の移動制限部と前記第３の移動制限部との当該竹刀スタンドの上下方向に沿った離間距離が、前記竹刀の前記剣先から当該竹刀の前記鍔における柄頭側の一面までの長さよりも長く、かつ、当該竹刀の当該剣先から当該竹刀の当該柄部における柄頭までの長さよりも短くなるように当該第１の移動制限部および当該第３の移動制限部を保持すると共に、前記第３の移動制限部における前記第１の方向の一端部側と前記第２の移動制限部における当該第１の方向の他端部側との間の距離が、前記各竹刀のうちの１本における前記鍔を当該第３の移動制限部における当該第１の方向の一端部側に当接させ、かつ、当該１本の竹刀における前記剣先を前記両突出制限部のうちの当該第１の方向の他端部側の一方に当接させるように配置したときに、当該第２の移動制限部による当該１本の竹刀の前記第２の方向への移動制限が維持されるとの条件を満たす長さとなり、前記第３の移動制限部における前記第１の方向の他端部側と前記第２の移動制限部における当該第１の方向の一端部側との間の距離が、前記１本の竹刀における前記鍔を当該第３の移動制限部における当該第１の方向の他端部側に当接させ、かつ、当該１本の竹刀における前記剣先を前記両突出制限部のうちの当該第１の方向の一端部側の一方に当接させるように配置したときに、当該第２の移動制限部による当該１本の竹刀の前記第２の方向への移動制限が維持されるとの条件を満たす長さとなるように当該第２の移動制限部および当該第３の移動制限部を保持する。
【０００８】
また、請求項２記載の竹刀スタンドは、請求項１記載の竹刀スタンドにおいて、前記各竹刀を前記第１の方向に沿った複数の列に分けて収容可能に構成されている。
【０００９】
さらに、請求項３記載の竹刀スタンドは、請求項２記載の竹刀スタンドにおいて、前記両離脱制限部の一方は、当該竹刀スタンドに対して固定的に配設され、前記第３の移動制限部は、断面円形状の棒状部材で平面視Ｕ字状に形成されたＵ字状部材を備えると共に、当該Ｕ字状部材の開放側端部が前記両離脱制限部のうちの固定的に配設された一方の側に位置するように配置されて前記複数の列を区分けする。
【００１０】
また、請求項４記載の竹刀スタンドは、請求項１から３のいずれかに記載の竹刀スタンドにおいて、前記保持部は、前記第２の移動制限部における前記第１の方向の一端部と前記第３の移動制限部における当該第１の方向の一端部とを相互に連結する第１の連結部材、および当該第２の移動制限部における当該第１の方向の他端部と当該第３の移動制限部における当該第１の方向の他端部とを相互に連結する第２の連結部材を備えて構成されている。
【発明の効果】
【００１１】
請求項１記載の竹刀スタンドでは、第１の移動制限部と第３の移動制限部との竹刀スタンドの上下方向に沿った離間距離が、竹刀の剣先から竹刀の鍔における柄頭側の一面までの長さよりも長く、かつ、竹刀の剣先から竹刀の柄部における柄頭までの長さよりも短くなるように保持部によって第１の移動制限部および第３の移動制限部が保持されると共に、第３の移動制限部における第１の方向の一端部側と第２の移動制限部における第１の方向の他端部側との間の距離が、各竹刀のうちの１本における鍔を第３の移動制限部における第１の方向の一端部側に当接させ、かつ、１本の竹刀における剣先を両突出制限部のうちの第１の方向の他端部側の一方に当接させるように配置したときに、第２の移動制限部による１本の竹刀の第２の方向への移動制限が維持されるとの条件を満たす長さとなり、第３の移動制限部における第１の方向の他端部側と第２の移動制限部における第１の方向の一端部側との間の距離が、１本の竹刀における鍔を第３の移動制限部における第１の方向の他端部側に当接させ、かつ、１本の竹刀における剣先を両突出制限部のうちの第１の方向の一端部側の一方に当接させるように配置したときに、第２の移動制限部による１本の竹刀の第２の方向への移動制限が維持されるとの条件を満たす長さとなるように第２の移動制限部および第３の移動制限部が保持部によって保持されている。
【００１２】
したがって、請求項１記載の竹刀スタンドによれば、傘立てを竹刀収容用のスタンドとして利用するのとは異なり、収容した各竹刀における上方側（柄部側）が拡がった状態となるのを回避することができるため、複数本の竹刀を収容した状態の竹刀スタンドを安定した状態に維持することができる。また、収容状態の竹刀を上方に引き抜こうとしても竹刀の鍔が第３の移動制限部に当接し、収容状態の竹刀を第１の方向に倒して取りだそうとしても竹刀の柄部が離脱制限部に当接して、竹刀の引き抜きや取り出しが制限されるため、各竹刀の意図せぬ持ち出しや、運搬時における抜け落ちを確実に回避することができる結果、各竹刀を確実かつ容易に管理することができる。
【００１３】
請求項２記載の竹刀スタンドによれば、各竹刀を第１の方向に沿った複数の列に分けて収容可能に構成したことにより、第１の方向に沿って１列に配列させて各竹刀を収容する構成と比較して、竹刀スタンドの第１の方向に沿った長さを十分に短くすることができる。
【００１４】
請求項３記載の竹刀スタンドによれば、両離脱制限部の一方を竹刀スタンドに対して固定的に配設し、かつ、断面円形状の棒状部材で平面視Ｕ字状に形成されたＵ字状部材の開放側端部が両離脱制限部のうちの固定的に配設された一方の側に位置するように配置されて複数の列を区分けするに第３の移動制限部を構成したことにより、竹刀スタンドに対する竹刀の収容作業を容易に実施することができるだけでなく、収容状態の竹刀がＵ字状部材に当接したときに傷付きが生じる事態を回避することができる。
【００１５】
請求項４記載の竹刀スタンドによれば、第２の移動制限部における第１の方向の一端部と第３の移動制限部における第１の方向の一端部とを相互に連結する第１の連結部材、および第２の移動制限部における第１の方向の他端部と第３の移動制限部における第１の方向の他端部とを相互に連結する第２の連結部材を備えて保持部を構成したことにより、第２の移動制限部に対して第３の移動制限部における第１の方向の端部が上下方向で離間または近接するような変形が生じる事態を確実に回避して、第２の移動制限部および第３の移動制限部の上下方向の離間距離を一定距離に維持することができるため、竹刀スタンドに対する竹刀の収容作業時に第３の移動制限部に対する竹刀の引っ掛かりが生じたり、収容状態の竹刀を上方に移動させたときに第２の移動制限部による剣部の第２の方向への移動制限が解除されたりする事態を確実に回避することができる。
【図面の簡単な説明】
【００１６】
【図１】竹刀スタンド１の外観斜視図である。
【図２】竹刀スタンド１における受け皿３の平面図である。
【図３】竹刀スタンド１における移動制限部４の平面図である。
【図４】竹刀スタンド１における移動制限部５の平面図である。
【図５】移動制限部５におけるＵ字状部材５ｃ（Ｊ字状部材５ｄ）の部位を矢印Ａ２の向きで見た断面図である。
【図６】竹刀スタンド１の正面図である。
【図７】竹刀スタンド１の右側面図である。
【発明を実施するための形態】
【００１７】
以下、添付図面を参照して、本発明に係る竹刀スタンドの実施の形態について説明する。
【００１８】
図１に示す竹刀スタンド１は、一例として、幅：約５５ｃｍ、奥行き：約５５ｃｍ、高さ：約１００ｃｍ程度の大きさに形成されて、６列×７本＝４２本の竹刀１０を収容することができるように構成されている。なお、この竹刀スタンド１では、同図および後に参照する各図に示す矢印Ａ１，Ａ２の方向が「第１の方向」に相当し、矢印Ｂ１，Ｂ２の方向が「第２の方向」に相当するものとする。
【００１９】
この場合、収容対象の竹刀１０は、その全長（剣先１１ａから柄頭１２ａまでの長さＬａ）が規格で定められている。具体的には、規格「３６」の竹刀１０（小学生用）は、その全長Ｌａが１１０ｃｍ（３尺６寸）で、規格「３７」の竹刀１０（中学生用）は、その全長Ｌａが１１４ｃｍ（３尺７寸）で、規格「３８」の竹刀１０（高校生・大学生・社会人用）は、その全長Ｌａが１１７ｃｍ（３尺８寸）で、規格「３９」の竹刀１０（大学生・社会人用）は、その全長Ｌａが１２０ｃｍ（３尺９寸）であると定められている。また、上記の規格に適合するように製造された竹刀１０では、柄部１２に対する鍔１３の取り付け位置についても大きなばらつきが生じることなく、ほぼ同様の位置となるように製造されている。
【００２０】
したがって、この種の竹刀１０では、剣先１１ａから、鍔１３における柄頭１２ａ側の一面までの長さＬｂについてもほぼ同様となっている。具体的には、一例として、規格「３６」の竹刀１０および規格「３７」の竹刀１０では、上記の長さＬｂが８０ｃｍ〜８２ｃｍの範囲内となっている。なお、この種の竹刀１０では、図５に示すように、鍔１３が鍔止め１３ａによって柄部１２に取り付けられている。本明細書では、竹刀スタンド１の構成や使用方法についての理解を容易とするために、この鍔１３および鍔止め１３ａを総称して「鍔」として説明する。また、以下の説明においては、例えば、実際には鍔止め１３ａがいずれかの部位に接する場合においても「鍔１３が接する」のように説明し、鍔止め１３ａに関する説明を省略する。
【００２１】
一方、竹刀スタンド１は、鍔１３が取り付けられた状態の複数本の竹刀１０を、それぞれ剣部１１よりも柄部１２を上方に位置させるように立てた状態で収容可能に構成された竹刀収容用の専用スタンドであって、受け皿３および移動制限部４，５が４本の支柱２によって支えられると共に、移動制限部５に対してチェーン６が取り外し可能に取り付けられて構成されている。支柱２は、後述する５本の支柱７と相まって「保持部」を構成する部材であって、本例の竹刀スタンド１では、金属製の角パイプで構成されている。この場合、図１，６，７に示すように、各支柱２の下端部には、竹刀スタンド１の移動を容易とするためのキャスター２ａがそれぞれ取り付けられている。
【００２２】
受け皿３は、図１，２に示すように、金属板を折り曲げ加工することによって、底板３ａ、背板３ｂ、前板３ｃおよび側板３ｄ，３ｄを有する上面開口の箱形に形成されている。また、図２に示すように、背板３ｂ、前板３ｃおよび側板３ｄ，３ｄの各上辺には、受け皿３を移動制限部４に取り付けるための取付け代３ｅが設けられている。この場合、受け皿３における底板３ａは、「第１の移動制限部」に相当し、各竹刀１０における剣部１１の剣先１１ａが当接可能に移動制限部４の外枠４ａや受け皿３の背板３ｂ、前板３ｃおよび側板３ｄ，３ｄを介して各支柱２に固定されて、各竹刀１０の下方への移動（竹刀スタンド１からの落下）を制限する。
【００２３】
また、背板３ｂは、前板３ｃと相まって「一対の突出制限部」を構成し、底板３ａおよび移動制限部４の間における矢印Ａ１の向きの端部側（「第１の方向の一端部側」の一例：この例では、竹刀スタンド１の背面側）に配設されて、後述するように竹刀スタンド１に収容した各竹刀１０の剣先１１ａが矢印Ａ１の向きで竹刀スタンド１から突出するのを制限する。さらに、前板３ｃは、底板３ａおよび移動制限部４の間における矢印Ａ２の向きの端部側（「第１の方向の他端部側」の一例：この例では、竹刀スタンド１の前面側）に配設されて、後述するように竹刀スタンド１に収容した各竹刀１０の剣先１１ａが矢印Ａ２の向きで竹刀スタンド１から突出するのを制限する。
【００２４】
移動制限部４は、「第２の移動制限部」に相当し、各竹刀１０における剣部１１の矢印Ａ１，Ａ２の方向に沿った移動を許容しつつ（剣部１１の矢印Ａ１，Ａ２の方向に沿った移動を制限せずに）、各竹刀１０における剣部１１の矢印Ｂ１，Ｂ２の方向への移動を制限する（剣部１１の矢印Ｂ１，Ｂ２の方向への移動可能範囲を予め規定された範囲に制限する）。この移動制限部４は、図１，３に示すように、一例として、金属製の角パイプで構成されて各支柱２，２間に掛け渡された外枠４ａと、外枠４ａと同様にして金属製の角パイプで構成されて外枠４ａに対して矢印Ａ１，Ａ２の方向で掛け渡された５本の仕切り棒４ｂとを備えて構成されている。なお、本例の竹刀スタンド１では、受け皿３が移動制限部４の外枠４ａにおける下面に取り付けられており、これにより、図１，６，７に示すように、「第２の移動制限部」に相当する移動制限部４が「第１の移動制限部」に相当する底板３ａよりも上方に位置させられている。
【００２５】
移動制限部５は、「第３の移動制限部」に相当し、図１，６，７に示すように、「第２の移動制限部」に相当する移動制限部４よりも上方に位置するように支柱２によって保持されている。この移動制限部５は、収容状態の各竹刀１０を上方に向けて移動させようとしたときにその竹刀１０における鍔１３が当接可能に配設されており、収容状態における各竹刀１０の上方への移動を制限すると共に、各竹刀１０における柄部１２の矢印Ａ１，Ａ２の方向に沿った移動を許容しつつ（柄部１２の矢印Ａ１，Ａ２の方向に沿った移動を制限せずに）、各竹刀１０における柄部１２の矢印Ｂ１，Ｂ２の方向への移動を制限する（柄部１２の矢印Ｂ１，Ｂ２の方向への移動可能範囲を予め規定された範囲に制限する）。
【００２６】
この移動制限部５は、図１，４に示すように、一例として、金属製の角パイプで構成されて背面側（「第１の方向の一端部側」の一例）の２本の支柱２，２間に掛け渡された連結棒５ａと、連結棒５ａと同様にして金属製の角パイプで構成されて矢印Ａ１，Ａ２の方向で支柱２，２の間に掛け渡された連結棒５ｂ，５ｂと、金属製の丸パイプで平面視Ｕ字状に形成されると共に矢印Ａ１，Ａ２の方向に沿って配設されて開放側端部が連結棒５ａに固定された５つのＵ字状部材５ｃと、金属製の丸パイプで平面視Ｊ字状に形成されると共に矢印Ａ１，Ａ２の方向に沿って配設されて連結棒５ａおよび前面側の支柱２の間に掛け渡された２つのＪ字状部材５ｄとを備えて構成されている。この場合、図５に示すように、各Ｕ字状部材５ｃおよび各Ｊ字状部材５ｄは、矢印Ｂ１，Ｂ２の方向に沿った離間距離Ｌ３が、竹刀１０における柄部１２の直径Ｌｃよりも広く、かつ、竹刀１０における鍔１３の直径Ｌｄよりも狭くなるように配置されている。
【００２７】
また、連結棒５ａは、チェーン６と相まって「離脱制限部」を構成し、上記したように、背面側の２本の支柱２，２間に掛け渡されるようにして固定されている（「両離脱制限部の一方が竹刀スタンド１に対して固定的に配設されている」との構成の一例）。つまり、本例の竹刀スタンド１では、「第３の移動制限部」を構成する各Ｕ字状部材５ｃおよび各Ｊ字状部材５ｄの各一端部が、「離脱制限部」としても機能する連結棒５ａを介して支柱２によって保持されている。この連結棒５ａは、上記したように、各Ｕ字状部材５ｃおよび各Ｊ字状部材５ｄを固定するための固定部材として機能して「第３の移動制限部」の一部を構成しつつ、「離脱制限部」の一方として機能して、収容状態における各竹刀１０の柄部１２が矢印Ａ１の向きで移動制限部５から離脱するのを制限する。
【００２８】
この場合、上記したように、本例の竹刀スタンド１では、各Ｕ字状部材５ｃおよび各Ｊ字状部材５ｄの矢印Ａ１の向きの端部が連結棒５ａを介して背面側の２本の支柱２，２に固定されて、この支柱２本の支柱２，２によって移動制限部４における矢印Ａ１の向きの端部に連結されている。したがって、この竹刀スタンド１では、背面側の２本の支柱２，２が「第１の連結部材」に相当する。また、図１，６に示すように、各Ｕ字状部材５ｃにおける矢印Ａ２の向きの端部は、支柱７によって移動制限部４の外枠４ａにそれぞれ連結されている。さらに、各Ｊ字状部材５ｄにおける矢印Ａ２の向きの端部は、前面側の２本の支柱２，２に固定されて、この支柱２本の支柱２，２によって移動制限部４における矢印Ａ２の向きの端部に連結されている。したがって、この竹刀スタンド１では、各支柱７および前面側の２本の支柱２，２が「第２の連結部材」に相当する。
【００２９】
チェーン６は、図１，４に示すように、移動制限部５の上面側における矢印Ａ２の向きの端部（竹刀スタンド１の前面側）に取り外し可能に取り付けられて、収容状態の各竹刀１０における柄部１２が矢印Ａ２の向きで移動制限部５から離脱するのを制限する。この場合、本例の竹刀スタンド１では、一例として、移動制限部５の連結棒５ｂ，５ｂにおける矢印Ａ２の向きの端部側（竹刀スタンド１の前面側）に図示しないＵ字フックがそれぞれ取り付けられており、このＵ字フックにチェーン６の両端部が取り付けられている。このチェーン６は、両端部のいずれかがＵ字フックから外されることで、竹刀１０における柄部１２の移動制限部５からの離脱や、移動制限部５への柄部１２の進入を許容する。したがって、チェーン６の両端部をＵ字フックに固定した状態においては、収容状態の竹刀１０を矢印Ａ１，Ａ２の向きに倒して取り出そうとしても竹刀１０の柄部１２が連結棒５ａまたはチェーン６に当接して、竹刀１０の引き抜きや取り出しが阻止される。
【００３０】
この竹刀スタンド１では、図６に示すように、受け皿３の底板３ａと移動制限部５の各Ｕ字状部材５ｃおよび各Ｊ字状部材５ｄとの竹刀スタンド１の上下方向に沿った離間距離（同図に示す長さＬ１）が、竹刀１０の剣先１１ａから竹刀１０の鍔１３における柄部１２側の一面までの長さ（図１に示す長さＬｂ）よりも長く、かつ、竹刀１０の剣先１１ａから竹刀１０の柄頭１２ａまでの長さ（図１に示す長さＬａ）よりも短い長さ（第１の長さ）となるように底板３ａと各Ｕ字状部材５ｃおよび各Ｊ字状部材５ｄとの位置関係が規定されている。
【００３１】
また、この竹刀スタンド１では、図７に示すように、移動制限部５における背面側（矢印Ａ１の向きの端部：「第１の方向の一端部側」の一例）と、移動制限部４における前面側（矢印Ａ２の向きの端部：「第１の方向の他端部側」の一例）との間の距離（同図に示す長さＬ２ａ）が、１本の竹刀１０（同図に一点鎖線で示す竹刀１０）における鍔１３を移動制限部５の背面側に当接させ、かつ、その竹刀１０の剣先１１ａを受け皿３の前板３ｃ（「両突出制限部のうちの第１の方向の他端部側の一方」の一例）に当接させるように配置したときに、移動制限部４による竹刀１０の移動制限が維持されるとの条件を満たす長さ（第２の長さ）になると共に、移動制限部５における前面側（矢印Ａ２の向きの端部）と、移動制限部４における背面側（矢印Ａ１の向きの端部）との間の距離（同図に示す長さＬ２ｂ）が、１本の竹刀１０（同図に二点鎖線で示す竹刀１０）における鍔１３を移動制限部５の前面側に当接させ、かつ、その竹刀１０の剣先１１ａを受け皿３の背板３ｂ（「両突出制限部のうちの第１の方向の一端部側の一方」の一例）に当接させるように配置したときに、移動制限部４による竹刀１０の移動制限が維持されるとの条件を満たす長さ（第３の長さ）となるように、背板３ｂ、前板３ｃ、移動制限部４，５の位置関係が規定されている。
【００３２】
言い換えれば、この竹刀スタンド１では、移動制限部５における背面側と、移動制限部４における前面側との間の距離（上記の長さＬ２ａ）、および移動制限部５における前面側と、移動制限部４における背面側との間の距離（上記の長さＬ２ｂ）が、竹刀１０における剣先１１ａから鍔１３における柄頭１２ａ側の一面までの長さＬｂ以下となるように背板３ｂ、前板３ｃ、移動制限部４，５が位置決めされている。したがって、この竹刀スタンド１では、移動制限部４による竹刀１０の移動制限（剣部１１の矢印Ｂ１，Ｂ２の方向への移動制限）を解除して竹刀１０を竹刀スタンド１の側方から斜め下向きに取り出そうとしたり、移動制限部５による竹刀１０の移動制限（柄部１２の矢印Ｂ１，Ｂ２の方向への移動制限）を解除して竹刀１０を竹刀スタンド１の側方から斜め上向きに取り出そうとしたりしても、移動制限部４，５による移動制限状態が確実に維持される。
【００３３】
また、竹刀スタンド１は、剣部１１よりも柄部１２部が上方に位置するように鍔１３付きの４２本の竹刀１０を立てた状態で矢印Ａ１，Ａ２の方向に沿って整列させて収容可能に構成されている。この場合、この竹刀スタンド１は、４２本の各竹刀１０を矢印Ａ１，Ａ２の方向に沿った６列に分けて収容することができるように構成されている。具体的には、この竹刀スタンド１に竹刀１０を収容する際には、まず、チェーン６の少なくとも一方の端部を移動制限部５の連結棒５ｂから外す。次いで、剣先１１ａを下にして竹刀１０の柄部１２を握り、竹刀スタンド１の前面側から、支柱２と支柱７との間（または支柱７，７の間）に剣部１１を斜めに挿入し、続いて、外枠４ａと仕切り棒４ｂとの間（または、仕切り棒４ｂ，４ｂの間）に剣先１１ａを斜めに挿入する。これにより、竹刀１０の剣部１１が、移動制限部４の外枠４ａおよび仕切り棒４ｂ（または、仕切り棒４ｂ，４ｂ）によって矢印Ａ１，Ａ２の方向への移動を許容されつつ、矢印Ｂ１，Ｂ２の方向への移動が制限された状態となる。
【００３４】
次いで、剣先１１ａを底板３ａに当接させた状態において竹刀１０を垂直に立てる。この際に、この竹刀スタンド１では、各Ｕ字状部材５ｃや各Ｊ字状部材５ｄにおける開放側端部が竹刀スタンド１の背面側に位置させられて連結棒５ａに固定されて、これにより、各Ｕ字状部材５ｃや各Ｊ字状部材５ｄにおける曲げ部（平面視において丸みを帯びている部位）が移動制限部５の前面側に位置するように構成されている。したがって、竹刀１０を垂直に立てようとしたときに、その竹刀１０の柄部１２がＵ字状部材５ｃやＪ字状部材５ｄの前面側の端部に当たってしまったとしても、柄部１２を矢印Ａ１の向きに移動させようとする力を加えるだけで、柄部１２がＵ字状部材５ｃおよびＪ字状部材５ｄの間（または、Ｕ字状部材５ｃ，５ｃの間）に向けて案内される。
【００３５】
また、この竹刀スタンド１では、前述したように、底板３ａと移動制限部５の各Ｕ字状部材５ｃおよび各Ｊ字状部材５ｄとの上下方向に沿った離間距離（図６，７に示す長さＬ１）が、竹刀１０の剣先１１ａから竹刀１０の鍔１３における柄部１２側の一面までの長さ（図１に示す長さＬｂ）よりも長く、かつ、竹刀１０の剣先１１ａから竹刀１０の柄頭１２ａまでの長さ（図１に示す長さＬａ）よりも短い長さとなっている。したがって、剣先１１ａを底板３ａに当接させた状態で立てた竹刀１０は、図６，７に示すように、その鍔１３が、移動制限部５の各Ｕ字状部材５ｃおよび各Ｊ字状部材５ｄよりも下方に位置することとなる。これにより、竹刀１０の柄部１２が、移動制限部５のＪ字状部材５ｄおよびＵ字状部材５ｃ（または、Ｕ字状部材５ｃ，５ｃ）によって矢印Ａ１，Ａ２の方向への移動を許容されつつ、矢印Ｂ１，Ｂ２の方向への移動が制限された状態となる。
【００３６】
また、鍔１３が移動制限部５の各Ｕ字状部材５ｃおよび各Ｊ字状部材５ｄよりも下方に位置する状態となっているため、竹刀スタンド１に対して竹刀１０を上方に移動させて引き抜こうとしても、図５に示すように、その竹刀１０の鍔１３がＪ字状部材５ｄおよびＵ字状部材５ｃ（または、Ｕ字状部材５ｃ，５ｃ）に当接することとなる。これにより、竹刀スタンド１からの竹刀１０の上方への引き抜きが阻止された状態となる。この場合、この竹刀スタンド１では、断面円形状の棒状部材（この例では、丸パイプ）を曲げて各Ｕ字状部材５ｃおよび各Ｊ字状部材５ｄが形成されている。したがって、例えば断面角形状の部材で形成したＵ字状部材やＪ字状部材（図示せず）によって「第３の移動制限部」を形成した構成とは異なり、比較的傷付き易い柄部１２や鍔１３（鍔止め１３ａ）がＵ字状部材５ｃやＪ字状部材５ｄに当接したときに、これらに傷付きが生じる事態が回避される。
【００３７】
この後、他の竹刀１０を収容する際に邪魔となることのないように、竹刀１０を竹刀スタンド１の背面側に向かって（矢印Ａ１の向きで）移動させることにより、その竹刀１０の収容作業が完了する。この際には、竹刀１０の剣部１１が移動制限部４における背面側の外枠４ａに当接すると共に柄部１２が移動制限部５における連結棒５ａに当接する。これにより、竹刀スタンド１からの矢印Ａ１の向きに沿った竹刀１０の離脱が阻止される。また、他の竹刀１０を竹刀スタンド１に収容する際には、上記の手順と同様の手順で竹刀１０を収容する。これにより、６列×７本＝４２本以下の任意の本数の竹刀１０が竹刀スタンド１に収容される。
【００３８】
この後、収容すべきすべての竹刀１０の収容作業が完了したときに、チェーン６における連結棒５ｂから外した側の端部を連結棒５ｂに固定する。この際には、収容した竹刀１０の剣部１１が移動制限部４における前面側の外枠４ａに当接すると共に柄部１２がチェーン６に当接し得る状態となる。これにより、竹刀スタンド１からの矢印Ａ２の向きに沿った竹刀１０の離脱が阻止される。また、必要に応じて、チェーン６の両端部を南京錠等を利用して連結棒５ｂ（Ｕ字フック）に施錠することにより、解錠し得る者以外の者が竹刀スタンド１から竹刀１０を持ち出すことができない状態となる。
【００３９】
この場合、この竹刀スタンド１では、収容状態の各竹刀１０における剣部１１が移動制限部４における外枠４ａおよび仕切り棒４ｂの間（または、仕切り棒４ｂ，４ｂの間）に位置して各図における矢印Ｂ１，Ｂ２の方向への移動が制限されると共に、各竹刀１０における柄部１２が移動制限部５におけるＵ字状部材５ｃおよびＪ字状部材５ｄの間（または、Ｕ字状部材５ｃ，５ｃの間）に位置して各図における矢印Ｂ１，Ｂ２の方向への移動が制限されている。したがって、複数本の竹刀１０を収容した状態において、これらが上方において左右方向に拡がる事態が回避される。また、この竹刀スタンド１では、移動制限部４における矢印Ａ１，Ａ２の方向に外枠４ａ，４ａが存在し、かつ、移動制限部５における矢印Ａ１の向きに連結棒５ａが存在すると共に矢印Ａ２の向きにチェーン６が存在している。したがって、複数本の竹刀１０を収容した状態において、これらが上方において前後方向に拡がる事態も回避される。これにより、この竹刀スタンド１では、複数本の竹刀１０を収容した状態においても十分に安定した状態が維持される。
【００４０】
さらに、この竹刀スタンド１では、各支柱２の下方にキャスター２ａが取り付けられている。したがって、竹刀１０の収容作業を実施すべき場所まで空の竹刀スタンド１を押して（または、引いて）移動させたり、竹刀１０の収容作業が完了した竹刀スタンド１を、常置場所まで押して（または、引いて）移動させたりすることができる。一方、収容状態の竹刀１０を竹刀スタンド１から取り出す際には、まず、チェーン６の少なくとも一方の端部を移動制限部５の連結棒５ｂから外した状態において、柄部１２を握って竹刀１０を手前に傾けるように移動させる。この際には、チェーン６による柄部１２の上下動機構５からの離脱制限が解除されると共に、上下動機構５による柄部１２の矢印Ｂ１，Ｂ２の方向への移動制限が解除される。次いで、その状態の竹刀１０を長手方向に沿って引き抜くことにより、移動制限部４による剣部１１の移動制限が解除されて、竹刀１０の取り出しが完了する。
【００４１】
このように、この竹刀スタンド１では、受け皿３の底板３ａと移動制限部５の各Ｕ字状部材５ｃおよび各Ｊ字状部材５ｄとの竹刀スタンド１の上下方向に沿った離間距離（長さＬ１）が、竹刀１０の剣先１１ａから竹刀１０の鍔１３における柄頭１２ａ側の一面までの長さ（長さＬｂ）よりも長く、かつ、竹刀１０の剣先１１ａから竹刀１０の柄部１２における柄頭１２ａまでの長さ（長さＬａ）よりも短くなるように底板３ａおよび移動制限部５が位置決めされて保持されると共に、移動制限部５における矢印Ａ１の向きの端部と移動制限部４における矢印Ａ２の向きの端部との間の距離（長さＬ２ａ）が、１本の竹刀１０における鍔１３を移動制限部５における矢印Ａ１の向きの端部に当接させ、かつ、その竹刀１０における剣先１１ａを矢印Ａ２の向きの端部側に位置している前板３ｃに当接させるように配置したときに、移動制限部４による竹刀１０の矢印Ｂ１，Ｂ２の方向への移動制限が維持されるとの条件を満たす「第２の長」さとなり、移動制限部５における矢印Ａ２の向きの端部と移動制限部４における矢印Ａ１の向きの端部との間の距離（長さＬ２ｂ）が、１本の竹刀１０における鍔１３を移動制限部５における矢印Ａ２の向きの端部に当接させ、かつ、その竹刀１０における剣先１１ａを矢印Ａ１の向きの端部側に位置している背板３ｂに当接させるように配置したときに、移動制限部４による竹刀１０の矢印Ｂ１，Ｂ２の方向への移動制限が維持されるとの条件を満たす「第３の長」さとなるように移動制限部４，５が位置決めされて支柱２，７によって保持されている。
【００４２】
したがって、この竹刀スタンド１によれば、傘立てを竹刀収容用のスタンドとして利用するのとは異なり、収容した各竹刀１０における上方側（柄部１２側）が拡がった状態となるのを回避することができるため、複数本の竹刀１０を収容した状態の竹刀スタンド１を安定した状態に維持することができる。また、収容状態の竹刀１０を上方に引き抜こうとしても竹刀１０の鍔１３が移動制限部５（Ｕ字状部材５ｃおよびＪ字状部材５ｄ）に当接し、収容状態の竹刀１０を矢印Ａ１，Ａ２の向きに倒して取りだそうとしても竹刀１０の柄部１２が連結棒５ａまたはチェーン６に当接して、竹刀１０の引き抜きや取り出しが阻止されるため、各竹刀１０の意図せぬ持ち出しや、運搬時における抜け落ちを確実に回避することができる結果、各竹刀１０を確実かつ容易に管理することができる。
【００４３】
また、この竹刀スタンド１によれば、各竹刀１０を矢印Ａ１，Ａ２の方向に沿った複数の列（この例では、６列）に分けて収容可能に構成したことにより、矢印Ａ１，Ａ２の方向に沿って１列に配列させて各竹刀１０を収容する構成と比較して、竹刀スタンド１の矢印Ａ１，Ａ２に沿った長さを十分に短くすることができる。
【００４４】
さらに、この竹刀スタンド１によれば、「両離脱制限部の一方」に相当する連結棒５ａを竹刀スタンド１に対して固定的に配設し、かつ、断面円形状の棒状部材（この例では、丸パイプ）で平面視Ｕ字状に形成されたＵ字状部材５ｃの開放側端部が「両離脱制限部のうちの固定的に配設された一方」に相当する連結棒５ａの側に位置するように配置して複数の列を区分けするように移動制限部５を構成したことにより、竹刀スタンド１に対する竹刀１０の収容作業を容易に実施することができるだけでなく、収容状態の竹刀１０がＵ字状部材５ｃやＪ字状部材５ｄに当接したときに傷付きが生じる事態を回避することができる。
【００４５】
また、この竹刀スタンド１によれば、移動制限部４における矢印Ａ１の向きの端部と移動制限部５における矢印Ａ１の向きの端部とを相互に連結する「第１の連結部材」としての２本の支柱２、および移動制限部４における矢印Ａ２の向きの端部と移動制限部５における矢印Ａ２の向きの端部とを相互に連結する「第２の連結部材」としての２本の支柱２および５本の支柱７を備えて「保持部」を構成したことにより、移動制限部４に対して移動制限部５における矢印Ａ１，Ａ２の方向のいずれかの端部が上下方向で離間または近接するような変形が生じる事態を確実に回避して、移動制限部４，５の上下方向の離間距離を一定距離に維持することができるため、竹刀スタンド１に対する竹刀１０の収容作業時に移動制限部５に対する竹刀１０の引っ掛かりが生じたり、収容状態の竹刀１０を上方に移動させたときに移動制限部４による剣部１１の矢印Ｂ１，Ｂ２の方向への移動制限が解除されたりする事態を確実に回避することができる。
【００４６】
なお、竹刀スタンドの構成は、上記した竹刀スタンド１の構成に限定されるものではない。例えば、収容対象の竹刀１０を６列に分けて収容する構成を例に挙げて説明したが、複数本の竹刀１０を収容する収容形態は、矢印Ａ１，Ａ２の方向に沿った１列でもよいし、２列以上５列以下の複数列でもよいし、７列以上の複数列でもよい。また、１列あたり７本の竹刀１０を収容する構成を例に挙げて説明したが、１列あたり２本以上６本以下の複数本を収容可能に構成してもよいし、１列あたり８本以上の複数本を収容可能に構成してもよい。これらの構成を採用した場合においても、上記の竹刀スタンド１と同様の効果を奏することができる。
【００４７】
また、竹刀スタンド１の前面側から竹刀１０を収容し、竹刀スタンド１の前面側に竹刀１０を取り出す構成を例に挙げて説明したが、竹刀スタンドの前面側および背面側の双方から竹刀１０を収容し、竹刀スタンドの前面側および背面側の双方に竹刀１０を取り出すことができるように構成することもできる。具体的には、一例として、竹刀スタンド１における移動制限部５の連結棒５ａに代えてチェーン６を配設すると共に、Ｕ字状部材５ｃやＪ字状部材５ｄに代えて、Ｏ字状部材およびＣ字状部材を配設して「第３の移動制限部」を構成し、かつ、Ｏ字状部材の「第１の方向」に沿った両端部を竹刀スタンド１における支柱７と同様の支柱によって支持し、Ｃ字状部材を背面側の支柱２および前面側の支柱２に固定する構成を採用することができる（図示せず）。このような構成を採用することにより、その竹刀スタンドに対する竹刀１０の収容作業や、竹刀１０の取り出し作業を短時間で完了させることができる。
【００４８】
さらに、４本の支柱２と、竹刀１０を収容する列数に応じた本数（この例では５本）の支柱７とで「保持部」を構成した竹刀スタンド１を例に挙げて説明したが、Ｕ字状部材５ｃが十分な強度を有している場合には、支柱７を不要とすることができる。また、４本の支柱２に代えて、例えば２本の支柱によって受け皿３および移動制限部４，５を保持する構成（図示せず）や、支柱に代えて、パネル（板材）によって受け皿３および移動制限部４，５を保持する構成（図示せず）を採用することもできる。このような構成を採用した場合においても、上記の竹刀スタンド１と同様の効果を奏することができる。
【符号の説明】
【００４９】
１  竹刀スタンド
２，７  支柱
３  受け皿
３ａ  底板
３ｂ  背板
３ｃ  前板
４，５  移動制限部
４ａ  外枠
４ｂ  仕切り棒
５ａ，５ｂ  連結棒
５ｃ  Ｕ字状部材
５ｄ  Ｊ字状部材
６  チェーン
１０  竹刀
１１  剣部
１１ａ  剣先
１２  柄部
１２ａ  柄頭
１３  鍔
１３ａ  鍔止め
Ｌ１，Ｌ２ａ，Ｌ２ｂ，Ｌａ，Ｌｂ  長さ
Ｌ３  離間距離
Ｌｃ，Ｌｄ  直径
【図１】
0005485118.tif 000002
【図２】
0005485118.tif 000003
【図３】
0005485118.tif 000004
【図４】
0005485118.tif 000005
【図５】
0005485118.tif 000006
【図６】
0005485118.tif 000007
【図７】
0005485118.tif 000008